(57)【要約】【課題】先読みしたデータを格納するメモリの記録容量を最低限としつつ、光ディスクからのデータ再生開始までの時間を短縮する光ディスク再生装置を提供する。【解決手段】光ディスク再生装置１００における制御部１１０は、内周領域におけるチルト制御のための制御パラメータの調整が完了すると、外周領域におけるチルト制御のための制御パラメータの調整に必要な調整時間を参照して、調整時間分のデータを光ディスク１０の内周領域から読み出してメモリ１３０に格納するようにデータ読出部１２０を制御する。制御部１１０は、メモリ１３０に格納されているデータが再生されている間に、外周領域におけるチルト制御のための制御パラメータの調整を行う。【選択図】図１
2010192066.tif 000002
【特許請求の範囲】
【請求項１】
光ディスクからデータを読み出す読出手段と、当該読出手段において読み出されたデータを格納するメモリと、を備えた光ディスク再生装置であって、
上記光ディスクに生じたチルトに応じて、上記光ディスクに照射する光ビームの照射方向を表す制御パラメータを調整する調整手段であって、上記光ディスクにおける予め定められた第１の領域からデータを読み出す際の当該照射方向を表す制御パラメータを調整する第１の調整と、上記光ディスクにおいて上記第１の領域以外の領域からデータを読み出す際の当該照射方向を表す制御パラメータを調整する第２の調整とを行う調整手段と、
上記調整手段が上記第１の調整を完了してから、上記調整手段が上記第２の調整を開始するまでに、予め記録されている調整時間であって、上記第２の調整に要する調整時間を参照して、上記第１の調整において調整された制御パラメータを用いて上記第１の領域から当該調整時間分のデータを読み出して上記メモリに格納するように上記読出手段を制御する制御手段と、
上記調整手段が上記第２の調整を行う間、上記メモリに格納されているデータを出力する出力手段と、
を備えていることを特徴とする光ディスク再生装置。
【請求項２】
上記読出手段は、上記第１の領域から読み出したデータごとに、上記出力手段からの当該データの出力に要する時間を特定し、特定した時間の合計値が上記調整時間に達するまで上記領域から記録単位ごとにデータを読み出して上記メモリに格納することを特徴とする請求項１に記載の光ディスク再生装置。
【請求項３】
上記制御手段は、搭載されている光ディスクに応じた調整時間を設定する設定手段を含むことを特徴とする請求項１または２に記載の光ディスク再生装置。
【請求項４】
上記制御手段は、搭載されている光ディスクの規格を判別する判別手段を含み、
上記設定手段は、光ディスクの規格と調整時間とを対応付けたテーブルを参照して、上記判別手段において判別した光ディスクの規格に応じた調整時間を設定することを特徴とする請求項３に記載の光ディスク再生装置。
【請求項５】
上記制御手段は、光ディスクそれぞれに対して付与されている固有情報を識別する固有情報識別手段をさらに含み、
上記設定手段は、固有情報と調整時間とを対応付けたテーブルを参照して、上記固有情報識別手段において識別した固有情報に応じた調整時間を設定することを特徴とする請求項３に記載の光ディスク再生装置。
【請求項６】
上記第２の調整に要した時間を計測するタイマーをさらに備えており、
上記制御手段は、上記テーブルに登録されている調整時間を、上記タイマーにおいて計測された時間に変更する変更手段をさらに含むことを特徴とする請求項４または５に記載の光ディスク再生装置。
【請求項７】
上記変更手段は、上記設定手段において上記テーブルを参照して選択された調整時間と、上記タイマーにおいて計測された時間との差分絶対値が所定の閾値を超える場合に、当該調整時間の値を変更することを特徴とする請求項６に記載の光ディスク再生装置。
【請求項８】
上記光ディスクは、再生専用ディスクであることを特徴とする請求項１から７のいずれか１項に記載の光ディスク再生装置。
【請求項９】
光ディスクからデータを読み出す読出手段と、当該読出手段において読み出されたデータを格納するメモリと、を備えた光ディスク再生装置における光ディスク再生方法であって、
光ディスクに生じたチルトに応じて、当該光ディスクにおける予め定められた第１の領域からデータを読み出す際に当該光ディスクに照射する光ビームの照射方向を表す制御パラメータを調整する第１の調整ステップと、
上記第１の調整ステップを終了してから、上記光ディスクに生じたチルトに応じて、上記光ディスクにおける上記第１の領域以外の領域からデータを読み出す際の上記照射方向を表す制御パラメータを調整する第２の調整ステップを開始するまでに、予め記録されている調整時間であって、上記第２の調整ステップに要する調整時間を参照して、上記第１の調整ステップにおいて調整した制御パラメータを用いて上記第１の領域から当該調整時間分のデータを読み出して上記メモリに格納するように上記読出手段を制御する制御ステップと、
上記第２の調整ステップが行われている間、上記メモリに格納されているデータを出力する出力ステップと、
を含むことを特徴とする光ディスク再生方法。
【請求項１０】
請求項１から８のいずれか１項に記載の光ディスク再生装置を動作させるプログラムであって、コンピュータを上記の各手段として機能させるためのプログラム。
【請求項１１】
請求項１０に記載のプログラムを記録しているコンピュータ読み取り可能な記録媒体。
【発明の詳細な説明】
【技術分野】
【０００１】
本発明は、光ディスクから読み出したデータを再生する光ディスク再生装置、および当該光ディスク再生装置における光ディスク再生方法に関する。
【背景技術】
【０００２】
ＣＤ（Compact Disc）、ＤＶＤ（Digital Versatile Disc）およびＢＤ（Blu-ray Disc）をはじめとする光ディスクにおけるディスクの反りは、データの読み取り性能に大きく影響を与える。そのため、光ディスクからデータを正確に読み取るためには、光ディスクに生じたチルトに応じて、出射された光ビームが正確にピックアップに戻るように光ビームの照射方向を調節するチルト制御を行う必要がある（例えば、特許文献１参照）。したがって、光ディスクでは、当該光ディスクからのデータの読み出しに先立って、チルト制御を行うための制御パラメータを調整しておく必要がある。
【先行技術文献】
【特許文献】
【０００３】
【特許文献１】特開平１０−１６２３９５号公報（平成１０年６月１９日公開）
【特許文献２】特開２００４−２０６８７２号公報（平成１６年７月２２日公開）
【発明の概要】
【発明が解決しようとする課題】
【０００４】
一般的に、光ディスクに生じるチルトの大きさは、光ディスクの中心に近い側の領域（すなわち、内周領域）と光ディスクの外縁に近い側の領域（すなわち、外周領域）とで異なる。したがって、チルト制御のための制御パラメータの調整は、内周領域と外周領域とでそれぞれ行わなければならない。
【０００５】
また、チルト制御のための制御パラメータの調整と、光ディスクからのデータの読み出しとは同時に行うことができないため、光ディスクドライブは、内周領域におけるチルト制御のための制御パラメータの調整および外周領域におけるチルト制御のための制御パラメータの調整の双方が終了するまで、光ディスクからデータを読み出すことができない。
【０００６】
このため、例えば、光ディスクに映像コンテンツが記録されている場合、ユーザーは、チルト制御のための制御パラメータの調整が完了するまでの間、映像の表示を待たされることになる。言い換えれば、ユーザーが再生の開始を指示してから実際にデータの再生が開始されるまで時間差が生じることになる。
【０００７】
また、特許文献２には、複数の記録層を有する光ディスクにおいて、第１層に対するトラッキング制御およびフォーカス制御を完了した後、第１層のデータをメモリに先読みしておき、第２層に対するトラッキング制御およびフォーカス制御を行う間、先読みしたデータを再生する技術が開示されている。
【０００８】
しかし、特許文献２に記載の技術では、先読みしたデータが少なくなるか、あるいは完全になくなった時点で、トラッキング制御およびフォーカス制御の調整を一時的に中断し、光ディスクからデータを読み出してメモリに格納する処理を行わなければならない。このような事態を避けるためには、制御パラメータの調整に必要な時間を大幅に超える分のデータを予め先読みしておかなければならない。そのため、特許文献２に記載の技術を用いた光ディスク再生装置では、搭載するメモリの記録容量が大容量化するという問題を生じることになる。
【０００９】
大容量のメモリを用いることは、光ディスクドライブの生産コストの増大を招くことになる。また、資源の活用効率の面からも好ましいことではない。
【００１０】
本発明は、上記の問題に鑑みてなされたものであり、その主たる目的は、メモリの容量を最低限としつつ、光ディスクからデータの再生が開始されるまでの時間を短縮することができるディスク再生装置を提供することである。
【課題を解決するための手段】
【００１１】
本発明に係る光ディスク再生装置は、上記課題を解決するために、
光ディスクからデータを読み出す読出手段と、当該読出手段において読み出されたデータを格納するメモリと、を備えた光ディスク再生装置であって、
上記光ディスクに生じたチルトに応じて、上記光ディスクに照射する光ビームの照射方向を表す制御パラメータを調整する調整手段であって、上記光ディスクにおける予め定められた第１の領域からデータを読み出す際の当該照射方向を表す制御パラメータを調整する第１の調整と、上記光ディスクにおいて上記第１の領域以外の領域からデータを読み出す際の当該照射方向を表す制御パラメータを調整する第２の調整とを行う調整手段と、
上記調整手段が上記第１の調整を完了してから、上記調整手段が上記第２の調整を開始するまでに、予め記録されている調整時間であって、上記第２の調整に要する調整時間を参照して、上記第１の調整において調整された制御パラメータを用いて上記第１の領域から当該調整時間分のデータを読み出して上記メモリに格納するように上記読出手段を制御する制御手段と、
上記調整手段が上記第２の調整を行う間、上記メモリに格納されているデータを出力する出力手段と、
を備えていることを特徴としている。
【００１２】
本発明に係る光ディスク再生装置は、予め定められた第１の領域からデータを読み出す際の光ビームの照射方向を表す制御パラメータの調整（第１の調整）を完了してから、第２の領域からデータを読み出す際の光ビームの照射方向を表す制御パラメータの調整（第２の調整）を開始するまでに、予め記録されている調整時間を参照して、調整時間分のデータを読み出してメモリに格納する。そして、本発明に係る光ディスク再生装置は、メモリに格納されているデータが出力されている間に第２の調整を行う。
【００１３】
このように、本発明に係る光ディスク再生装置では、第２の調整に要する調整時間を参照することにより、メモリに格納するデータ量を設定することができるため、調整時間分のデータを過不足なく先読みしておくことができる。
【００１４】
すなわち、本発明に係る光ディスク再生装置は、制御パラメータの調整に必要な調整時間と同一の時間分のデータを光ディスクから読み出すことができる。言い換えれば、メモリには調整時間に相当する時間分のデータを格納することができる。したがって、本発明に係る光ディスク再生装置では、先読みしたデータを格納しておくメモリの容量を最低限の容量にすることができる。
【００１５】
また、本発明に係る光ディスク再生装置では、第２の調整を行っている間はメモリからデータを出力し、メモリに格納されたデータを全て出力した時には、第２の調整は完了している。すなわち、メモリに格納されたデータを全て出力した後は、通常通り、光ディスクからデータを再生することができる。すなわち、実質的には、第２の調整が開始される時点で、光ディスクのデータの再生が開始されることになる。
【００１６】
したがって、本発明に係る光ディスク再生装置では、第１の調整および第２の調整の完了を待つ場合と比較して、データの再生が開始されるまでの時間を短縮することができる。
【００１７】
このように、本発明に係る光ディスク再生装置では、先読みしたデータを格納するメモリの容量を最低限としつつ、光ディスクからデータの再生が開始されるまでの時間を短縮することができる効果を奏する。
【００１８】
本発明に係る光ディスク再生装置では、さらに、上記読出手段は、上記第１の領域から読み出したデータごとに、上記出力手段からの当該データの出力に要する時間を特定し、特定した時間の合計値が上記調整時間に達するまで上記領域からデータを記録単位ごとに読み出して上記メモリに格納することが好ましい。
【００１９】
上記の構成によれば、本発明に係る光ディスク再生装置は、上記第１の位置において調整した制御パラメータを用いてデータを読み出し可能な領域（内周領域と称する）から読み出したデータごとに、出力手段から当該データの出力に要する時間を特定することができる。
【００２０】
これによって、本発明に係る光ディスク再生装置では、光ディスクの内周領域から読み出してメモリに格納したデータを、データ容量ではなく、時間を基準に管理することができるため、調整時間分のデータを過不足なく読み出してメモリに格納しておくことができる効果を奏する。
【００２１】
本発明に係る光ディスク再生装置では、さらに、上記制御手段は、搭載されている光ディスクに応じた調整時間を設定する設定手段を含むことが好ましい。
【００２２】
上記の構成によれば、搭載されている光ディスクに応じた調整時間を設定することができる。これによって、本発明に係る光ディスク再生装置では、搭載されている光ディスクに適した調整時間を設定することができる効果を奏する。
【００２３】
本発明に係る光ディスク再生装置では、さらに、上記制御手段は、搭載されている光ディスクの規格を判別する判別手段を含み、上記設定手段は、光ディスクの規格と調整時間とを対応付けたテーブルを参照して、上記判別手段において判別した光ディスクの規格に応じた調整時間を設定することが好ましい。
【００２４】
上記の構成によれば、設定手段は、光ディスクの規格に応じた調整時間を設定することができる。
【００２５】
これによって、搭載されている光ディスクの規格に一致する規格の光ディスクがテーブルに登録されている限り、どのような規格の光ディスクを搭載した場合であっても好適な調整時間を設定することができる効果を奏する。言い換えれば、ＢＤ、ＤＶＤなどの複数種類の光ディスクからデータを再生することができる光ディスク再生装置に対しても、好適な調整時間を設定することができる効果を奏する。
【００２６】
本発明に係る光ディスク再生装置では、さらに、上記制御手段は、光ディスクそれぞれに対して付与されている固有情報を識別する固有情報識別手段をさらに含み、上記設定手段は、固有情報と調整時間とを対応付けたテーブルを参照して、上記固有情報識別手段において識別した固有情報に応じた調整時間を設定することが好ましい。
【００２７】
上記の構成によれば、光ディスクそれぞれを互いに識別する固有情報を識別することができる。
【００２８】
これによって、光ディスク再生装置は、各光ディスクごとに最も好適な調整時間を設定することができる効果を奏する。
【００２９】
本発明に係る光ディスク再生装置では、さらに、上記第２の調整に要した時間を計測するタイマーをさらに備えており、
上記制御手段は、上記テーブルに登録されている調整時間を、上記タイマーにおいて計測された時間に変更する変更手段をさらに含むことが好ましい。
【００３０】
上記の構成によれば、変更手段は、テーブルに登録されている調整時間を、タイマーにおいて計測された時間に変更することができる。
【００３１】
これによって、例えば、光ディスク再生装置におけるピックアップの経時変化または光ディスクを再生する環境の変化に起因して、テーブルに登録されている調整時間と実際に要する時間との間に誤差が生じることを防ぐことができる効果を奏する。
【００３２】
本発明に係る光ディスク再生装置では、さらに、上記変更手段は、上記設定手段において上記テーブルを参照して選択された調整時間と、上記タイマーにおいて計測された時間との差分絶対値が所定の閾値を超える場合に、当該調整時間の値を変更することが好ましい。
【００３３】
上記の構成によれば、変更手段は、設定手段により選択された調整時間と、タイマーにおいて計測された時間との差分絶対値が所定の閾値を超える場合に、調整時間の値を変更する。
【００３４】
これによって、タイマーにおけるカウント誤差または光ディスクを再生する際の環境などに起因して調整時間が変更されてしまうことを防止することができる効果を奏する。また、所定の閾値を超える値のずれが生じたときにのみ調整時間を変更することにより、調整時間の変更回数が多くなることを避ける同時に、光ディスク再生装置の経時的な変化に追従するようにテーブルに登録されている調整時間を変更していくことができる効果を奏する。
【００３５】
本発明に係る光ディスク再生装置では、さらに、上記光ディスクは、再生専用ディスクであることが好ましい。
【００３６】
再生専用ディスクの場合、読み出しを開始するセクタは、光ディスクの中心に近い方からと予め定められている。したがって、再生専用ディスクを用いる場合には、第２の位置における制御パラメータの調整が終了する前に、第１の領域以外の領域におけるセクタからデータを読み出さなければならなくなるような事態を避けることができる効果を奏する。
【００３７】
本発明に係る光ディスク再生方法は、上記課題を解決するために、
光ディスクからデータを読み出す読出手段と、当該読出手段において読み出されたデータを格納するメモリと、を備えた光ディスク再生装置における光ディスク再生方法であって、
光ディスクに生じたチルトに応じて、当該光ディスクにおける予め定められた第１の領域からデータを読み出す際に当該光ディスクに照射する光ビームの照射方向を表す制御パラメータを調整する第１の調整ステップと、
上記第１の調整ステップを終了してから、上記光ディスクに生じたチルトに応じて、上記光ディスクにおける上記第１の領域以外の領域からデータを読み出す際の上記照射方向を表す制御パラメータを調整する第２の調整ステップを開始するまでに、予め記録されている調整時間であって、上記第２の調整ステップに要する調整時間を参照して、上記第１の調整ステップにおいて調整した制御パラメータを用いて上記第１の領域から当該調整時間分のデータを読み出して上記メモリに格納するように上記読出手段を制御する制御ステップと、
上記第２の調整ステップが行われている間、上記メモリに格納されているデータを出力する出力ステップと、
を含むことを特徴としている。
【００３８】
上記の構成によれば、本発明に係る光ディスク再生装置と同様の作用効果を奏する。
【００３９】
また、本発明に係る光ディスク再生装置を動作させるためのプログラムであって、コンピュータを上記の各手段として駆動させることを特徴とするプログラムおよびそれらのプログラムを記録したコンピュータ読み取り可能な記録媒体も本発明の範疇に含まれる。
【発明の効果】
【００４０】
以上説明したように、本発明に係る光ディスク再生装置は、予め定められた第１の領域からデータを読み出す際の光ビームの照射方向を制御する制御パラメータの調整（第１の調整）を完了してから、第２の領域からデータを読み出す際の光ビームの照射方向を制御する制御パラメータの調整（第２の調整）を開始するまでに、予め記録されている調整時間を参照して、調整時間分のデータを読み出してメモリに格納する。そして、本発明に係る光ディスク再生装置は、メモリに格納されているデータが出力されている間に第２の調整を行う。
【００４１】
これによって、本発明に係る光ディスク再生装置は、メモリの容量を最低限としつつ、光ディスクからのデータ再生開始までの時間を短縮することができる効果を奏する。
【図面の簡単な説明】
【００４２】
【図１】本発明に係る光ディスク再生装置の要部構成を示すブロック図である。
【図２】本発明に係る光ディスク再生装置における光ディスク再生処理を示すフローチャートである。
【図３】調整時間の設定の際に参照する調整時間設定テーブルの一例を示す図である。
【発明を実施するための形態】
【００４３】
本発明に係る光ディスク再生装置の一実施形態について、図１〜３を参照しつつ以下に説明する。まず、本発明に係る光ディスク再生装置の構成について、図１を参照して説明する。なお、図１は、光ディスク再生装置１００の要部構成を示すブロック図である。
【００４４】
（光ディスク再生装置１００の構成）
図１に示すように、光ディスク再生装置１００は、制御部１１０、データ読出部１２０、メモリ１３０、再生制御部１４０、タイマー１５０およびテーブル格納部１６０を備えている。また、これらの部材とは別に、光ディスク再生装置１００には、光ディスク１０が搭載されている。
【００４５】
なお、表示装置２００は、厳密には光ディスク再生装置１００を構成するものではないが、便宜上、光ディスク再生装置１００と共に図１に図示している。
【００４６】
ここで、本願明細書等において「搭載される」とは、光ディスクが、光ディスク再生装置内において、データを読み出し可能な状態にセットされたことを指す。
【００４７】
また、光ディスクのチルトを制御するための制御パラメータの調整は、光ディスクの中心から径方向への距離が互いに異なる２点に光ヘッドを配置した状態で行われることが一般的である。例えば、１２ｃｍディスクの場合、制御パラメータの調整は、光ディスクの中心からの距離が約３０．５ｍｍの位置および約５２．２ｍｍの位置の２箇所に光ヘッドを配置した状態で行う。なお、本明細書等における制御パラメータとは、光ヘッドから発せされる光ビームの照射方向を設定するために用いられるパラメータである。したがって、制御パラメータは、光ビームの照射方向を表すパラメータであると言い換えることもできる。また、本明細書等におけるチルト制御とは、光ディスクにおけるチルトに応じて、際的な光ビームの照射方向を設定することを指しており、制御パラメータは、光ビームの照射方向の設定のために用いられる。
【００４８】
本実施形態における「内周領域（第１の領域）」とは、チルト制御のための制御パラメータの調整を行う位置のうち、光ディスクの中心からの距離が近い側（内周側）の位置において調整された制御パラメータを用いてデータを読み出す領域を指しており、「外周領域（第２の領域）」とは、光ディスクの内周領域以外の領域を指している。すなわち、光ディスクの中心からの距離が遠い側（外周側）の位置において調整された制御パラメータを用いてデータを読み出す領域である。
【００４９】
なお、内周領域領域と外周領域との境界は、予め設定されている。すなわち、光ディスク再生装置１００には、内周側の位置において調整された制御パラメータを用いてデータを読み出す領域がどこまでであり、外周側の位置において調整された制御パラメータを用いてデータを読み出す領域がどこからであるのかが予め設定されている。
【００５０】
なお、本実施形態では、内周領域のデータを読み出す際に用いる制御パラメータの調整を先に行い、続いて外周領域のデータを読み出す際に用いる制御パラメータの調整を行う場合について例示しているが、逆であってもよい。この場合、内周領域のデータを読み出す際に用いる制御パラメータの調整に要する時間が調整時間となる。
【００５１】
（制御部１１０）
制御部１１０は、光ディスクからのデータの読み出しに関する処理全般を制御する。すなわち、制御部１１０は、光ディスク１０からのデータの読み出し（すなわち、光ピックアップの駆動）、および、光ヘッドから発せられる光ビームが正確にピックアップに戻るように光ビームの照射方向を調節するための制御パラメータを調整するための処理などを制御することになる。
【００５２】
制御部１１０は、図１に示すように、調整時間設定部１１１、ディスク判別部１１２、ＩＤ識別部１１３、および調整時間変更部１１４を備えている。これらの部材について以下に説明する。
【００５３】
（調整時間設定部１１１）
調整時間設定部１１１は、搭載されている光ディスクの規格または搭載されている光ディスクそれぞれに応じて、外周領域におけるチルト制御のための制御パラメータの調整に必要な時間（以下、調整時間とも称する）を設定する。調整時間設定部１１１における調整時間の設定の詳細については、下記に詳述するため、ここではその説明を省略する。
【００５４】
（ディスク判別部１１２）
ディスク判別部１１２は、搭載されている光ディスクの規格を判別する。搭載されている光ディスクの規格の判別手法は、特に限定されるものではない。例えば、ディスク判別部１１２は、光ディスクに記録されているメディア情報を読み出すことにより、搭載されている光ディスクの規格を判別するようにすればよい。
【００５５】
（ＩＤ識別部１１３）
ＩＤ識別部１１３は、搭載されている光ディスクに付与されているメディアＩＤを識別する。メディアＩＤの識別手法については、特に限定されるものではない。
【００５６】
（調整時間変更部１１４）
調整時間変更部１１４は、テーブル格納部１６０に格納されているテーブルに登録されている調整時間の値を変更する。調整時間変更部１１４がテーブルに登録されている調整時間の値を変更する処理の詳細については下記に詳述するため、ここではその説明を省略する。
【００５７】
（データ読出部１２０）
データ読出部１２０は、光源および受光部を備えた光ピックアップを用いて光ディスク１０からデータを読み出す。したがって、データ読出部１２０における光ピックアップは、制御部１１０からの指示に基いて駆動される。光ピックアップには、光ヘッドが備えられている。
【００５８】
また、データ読出部１２０は、光ディスク１０の外周領域におけるチルト制御のための制御パラメータの調整が完了するまでの間に読み出したデータについては、メモリ１３０に出力（記録）し、光ディスク１０の外周領域におけるチルト制御のための制御パラメータの調整が完了した後のデータについては再生制御部１４０に対して出力する。
【００５９】
さらに、データ読出部１２０は、光ディスク１０から読み出したデータの再生時間を特定する。すなわち、データ読出部１２０では、読み出したデータをその容量を基準として管理するのではなく、再生時間を基準に管理する。これによって、データ読出部１２０は、調整時間設定部１１１において設定された調整時間分のデータを過不足なく読み出すことができる。読み出したデータの再生時間は、例えば、読み出したデータに付与されているタイムスタンプに基いて判定すればよい。例えば、ＭＰＥＧ２−ＴＳの場合には、各ＰＥＳパケットに付与されているＰＴＳの値に基づいて再生時間を判定すればよい。
【００６０】
なお、本実施形態では、データ読出部１２０が光ディスク再生装置１００に搭載されている場合を例に挙げて説明するが、データ読出部１２０は、光ディスク再生装置１００とは別体の装置であってもよい。すなわち、データ読出部１２０を光ディスクドライブとして光ディスク再生装置から切り離してもよい。この場合、光ディスクドライブと光ディスク再生装置とはＡＴＡインターフェースを介して接続するようにすればよい。
【００６１】
（メモリ１３０）
メモリ１３０は、データ読出部１２０から読み出されたデータを一時的に格納する記録媒体である。メモリ１３０として用いられる記録媒体としては特に限定されるものではない。すなわち、メモリ１３０は、電源を切っても記憶した内容の消えない不揮発性メモリであってもよいし、電源を切ると記憶した内容の消える揮発性メモリであってもよい。
【００６２】
メモリ１３０として用いることができる記録媒体の具体例としては、フラッシュメモリを挙げることができる。この場合、フラッシュメモリのタイプは、特に限定されるものではなく、ＮＡＮＤ型フラッシュメモリを用いてもよいし、ＮＯＲ型フラッシュメモリを用いてもよい。
【００６３】
また、メモリ１３０は、光ディスク再生装置１００の内部に備えられている内部メモリであってもよいし、外部に備えられている外部メモリであってもよい。
【００６４】
（再生制御部１４０）
再生制御部１４０は、データ読出部１２０により光ディスク１０から読み出されたデータ、または、メモリ１３０から読み出されたデータの再生処理全般を制御する。
【００６５】
再生制御部１４０は、光ディスク１０に記録されているデータを再生することができるものであれば特に限定されるものではない。
【００６６】
（タイマー１５０）
タイマー１５０は、光ディスク１０の外周領域におけるチルト制御のための制御パラメータの調整に要した時間を計測する。すなわち、タイマー１５０は、光ディスク１０の外周領域におけるチルト制御のための制御パラメータの調整の開始と共にカウントを開始し、調整が完了した時点でカウントを終了する。
【００６７】
（テーブル格納部１６０）
テーブル格納部１６０は、調整時間設定テーブルが格納されているメモリである。調整時間設定テーブルには、光ディスクの外周領域におけるチルト制御のための制御パラメータの調整に要する調整時間の値が登録されている。調整時間設定部１１１は、テーブル格納部１６０に記録されている調整時間設定テーブルを参照して、搭載されている光ディスク１０の規格に応じた調整時間を設定する。
【００６８】
なお、テーブル格納部１６０には、電源を切っても内容の消えない不揮発性メモリを用いることが好ましい。テーブル格納部１６０として用いることができる記録媒体の具体例としては、メモリ１３０と同様に、フラッシュメモリを挙げることができる。なお、この場合も、フラッシュメモリのタイプは特に限定されるものではない。
【００６９】
また、メモリ１３０を不揮発性メモリとする場合には、メモリ１３０の一部に調整時間設定テーブルを記録させておくようにしてもよい。すなわち、メモリ１３０の一部をテーブル格納部１６０として利用するようにしてもよい。
【００７０】
（表示装置２００）
表示装置２００は、再生制御部１４０において再生されたデータを表示するためのディスプレイである。表示装置２００としては、例えば、液晶ディスプレイおよび有機ＥＬディスプレイなどを挙げることができる。
【００７１】
なお、図１では、光ディスク再生装置１００と表示装置２００とが別体の装置である場合を例に挙げて図示しているが、もちろんこれに限定されるものではなく、光ディスク再生装置１００と表示装置２００とが一体となっていてもよい。
【００７２】
（光ディスク１０）
光ディスク再生装置１００に搭載することができる光ディスク１０としては、特に限定されるものではない。光ディスク１０としては、具体的には、ＢＤ（Blu-ray Disc）、ＤＶＤ（Digital Versatile Disc）またはＣＤ（Compact Disc）を挙げることができる。
【００７３】
また、光ディスク１０は、１２ｃｍディスク以上の大きさのディスクであることが好ましい。これは、例えば８ｃｍディスクのような径の小さいディスクの場合、光ディスクの内周におけるチルトと外周におけるチルトとの差が小さいため、チルト制御のための制御パラメータが１つでよいためである。
【００７４】
なお、光ディスク再生装置１００は、上記の光ディスクを１種類のみ搭載可能なものに限定されるものではなく、複数種類を搭載可能であってもよい。
【００７５】
（ディスク再生処理の概要）
次に、ディスク再生処理の際の光ディスク再生装置１００の動作について、図２を参照しつつ以下に説明する。図２は、光ディスク再生装置１００におけるディスク再生処理を示すフローチャートである。なお、本項では、光ディスク１０としてＢＤ−ＲＯＭを用いる場合を例に挙げて説明する。
【００７６】
まず、光ディスク再生装置１００にＢＤ−ＲＯＭを搭載すると、制御部１１０は、光ヘッドを光ディスク１０中心に近い側の位置（内周位置）に移動させて、光ディスク１０の内周領域におけるチルト制御のための制御パラメータの調整を行う（ステップＳ１）。具体的には、制御部１１０は光ヘッドの位置調整を行うようにデータ読出部１２０に対して指示を送り、指示を受けたデータ読出部１２０は、光ヘッドから出射した光ビームが内周領域において反射し、再度光ヘッドに戻るようにヘッド位置を調整する。
【００７７】
内周位置において制御パラメータの調整を完了すると、制御部１１０におけるディスク判別部１１２は、搭載されている光ディスクが再生専用ディスク（すなわち、ＲＯＭディスク）であるか否かを判定する（ステップＳ２）。ディスク判定部１１２において搭載されている光ディスクが再生専用ディスクであると判定された場合（ステップＳ２においてＹｅｓ）、調整時間設定部１１１は、ディスク判別部１１２において判別された光ディスクの規格（本項では、ＢＤ−ＲＯＭ）に基づいて、調整時間設定テーブルから外周領域におけるチルト制御のための制御パラメータの調整に要する時間（調整時間）を設定する（ステップＳ３）。なお、ディスク判定部１１２において搭載されている光ディスクが再生専用ディスクでないと判定された場合（ステップＳ２においてＮｏ）、制御部１１０は、外周領域におけるチルト制御のための制御パラメータの調整を行う（ステップＳ７）。
【００７８】
制御部１１０は、調整時間設定部１１１において調整時間の設定が終了すると、データ読出部１２０に対して、設定された調整時間分のデータを光ディスク１０の内周領域から読み出すように指示する。指示を受けたデータ読出部１２０は、搭載されているＢＤ−ＲＯＭの内周領域からデータを読み出し、メモリ１３０に格納する（ステップＳ４）。
【００７９】
ここで、再生専用ディスク（ＲＯＭディスク）では、ディスクの再生時にどこのセクタからデータを読み出し始めるのかが予め定められているため、データ読出部１２０は、予め定められたセクタから調整時間分だけのデータを読み出す。なお、再生専用ディスクは内周領域におけるセクタからデータを読み出すように定められていることが多い。したがって、データ読出部１２０は、内周位置において調整した制御パラメータを用いて、搭載されているＢＤ−ＲＯＭの内周領域のデータを先読みする。データ読出部１２０は、メモリ１３０に格納されているデータを再生したときの再生時間が調整時間に一致するまで、ＢＤ−ＲＯＭからデータを読み出し続ける（ステップＳ５）。
【００８０】
データ読出部１２０が調整時間分のデータをメモリ１３０に格納すると（ステップＳ５においてＹｅｓ）、再生制御部１４０は、メモリ１３０に格納されているデータの再生を開始する（ステップＳ６）。表示装置２００は、再生制御部１４０において再生されたデータをユーザーに対して表示する。
【００８１】
再生制御部１４０がメモリ１３０から読み出したデータを再生している間（すなわち、ステップＳ６を実行している間）に、制御部１１０は、光ヘッドをＢＤ−ＲＯＭの中心から遠い側の位置（外周位置）に移動させて、外周領域におけるチルト制御のための制御パラメータの調整を行う（ステップＳ７）。
【００８２】
外周位置において、チルト制御のための制御パラメータの調整が終了すると、制御部１１０は、データ読出部１２０に対して搭載されているＢＤ−ＲＯＭからデータを読み出して再生するように指示する。指示を受けたデータ読出部１２０は、メモリ１３０に格納されているデータがなくなると、ＢＤ−ＲＯＭからデータを読出し、再生制御部１４０に対して出力する。このとき、データ読出部１２０は、先読みしたデータの次のデータが記録されているセクタから読み出しを開始する。すなわち、メモリ１３０に先読みしたデータは再度読み出さない。
【００８３】
続いて、再生制御部１４０は、データ読出部１２０においてＢＤ−ＲＯＭから読み出されたデータを再生し、表示装置２００へと出力する。表示装置２００は、再生制御部１４０において再生されたデータをユーザーに対して表示する（ステップＳ８）。このように、光ディスク再生装置１００は、ＢＤ−ＲＯＭの内周領域におけるチルト制御のための制御パラメータの調整および外周領域におけるチルト制御のための制御パラメータの調整のいずれもが完了した後は、搭載されている光ディスクからデータを読み出して再生する。
【００８４】
以上説明したように、光ディスク再生装置１００では、内周領域におけるチルト制御のための制御パラメータの調整を完了してから、外周領域におけるチルト制御のための制御パラメータの調整を開始するまでの間に、ステップＳ２〜Ｓ６の処理が実行される。図２におけるフローでは、便宜上ステップＳ６を先に記載し、ステップＳ７を後に記載しているが、実際には、ステップＳ６とステップＳ７とは同時に行われる。
【００８５】
また、メモリ１３０に格納されたデータは、再生制御部１４０において再生されると共に消去するようにすればよい。
【００８６】
また、搭載される光ディスクは再生専用ディスクに限定されるものではなく、記録されている内容を書き換えることができる光ディスク（例えば、ＢＤ−Ｒ、ＢＤ−ＲＥ、ＤＶＤ±Ｒ、ＤＶＤ±ＲＷなど）であってもよい。書き換え可能な光ディスクの場合、再生専用ディスクとは異なり、再生するデータがセクタ順に並んでいるとは限らない。したがって、制御部１１０は、先読みするデータをランダムアクセスにより取得するようにデータ読出部１２０に対して指示を送るようにすればよい。
【００８７】
さらに、上述した処理動作では、ＢＤ−ＲＯＭを搭載すると共に、内周領域におけるチルト制御のための制御パラメータの調整を行っているが、もちろんこれに限定されるものではない。例えば、内周領域におけるチルト制御のための制御パラメータの調整は、ユーザーが光ディスクの再生を指示したときに開始するようにしてもよい。また、光ディスクの搭載と共に光ディスクの再生を開始しない場合には、内周領域からデータを読み出してメモリ１３０に格納することなく、外周領域におけるチルト制御のための制御パラメータの調整を行うようにしてもよい。
【００８８】
また、上述した処理動作では、ステップＳ５において、調整時間分のデータの格納が完了するまで、再生を待つ態様を記載しているが、これに限定されるものではない。すなわち、光ディスク再生装置１００は、メモリ１３０に格納されたデータから逐次再生するようにしてもよい。一般的に、データの再生速度はデータの読み出し速度よりも遅いため、メモリ１３０に格納されたデータを逐次再生したとしても、メモリ１３０に格納されているデータがなくなることはない。この態様の場合には、図２におけるステップＳ５とステップＳ６とは同時に行われることになったため、ユーザーを待たせる時間はより一層短縮することができる。光ディスク再生装置１００は、調整時間分のデータの格納が完了すると共に、ステップＳ５を終了し、ステップＳ７へと移行する（ステップＳ６は引き続き続行される）。なお、この態様における調整時間とは、外周領域におけるチルト制御のための制御パラメータの調整に要する時間分に、外周領域におけるチルト制御のための制御パラメータの調整に要する時間分のデータの格納が完了するまでの時間分を加えた時間となる。
【００８９】
（光ディスク再生装置１００の利点）
光ディスク再生装置１００における調整時間設定部１１１は、内周領域におけるチルト制御のための制御パラメータの調整を終了してから、外周領域におけるチルト制御のための制御パラメータの調整が開始されるまでの間に、搭載されている光ディスク１０に応じた調整時間を設定する。続いて、データ読出部１２０は、調整した制御パラメータを用いることにより内周領域から調整時間分のデータを読み出してメモリ１３０に格納する。制御部１１０は、再生制御部１４０においてメモリ１３０から読み出したデータを再生する間に、外周領域における光ビームの照射方向を表す制御パラメータの調整を行う。
【００９０】
このように、本発明に係る光ディスク再生装置１００では、搭載されている光ディスク１０に応じて、外周領域におけるチルト制御のための制御パラメータの調整に要する調整時間を設定することができるため、調整時間分のデータを過不足なく先読みしておくことができる。したがって、光ディスク再生装置１００では、先読みしたデータを格納しておくメモリ１３０の容量は最低限の容量とすることができる。
【００９１】
また、光ディスク再生装置１００では、外周領域におけるチルト制御のための制御パラメータの調整を行っている間はメモリ１３０からデータを再生し、メモリ１３０に格納されたデータを全て再生した時には制御パラメータの調整は完了している。すなわち、メモリ１３０に格納されたデータを全て再生した後は、通常通り、光ディスク１０からデータを再生することができる。したがって、光ディスク再生装置１００では、内周領域および外周領域の双方における制御パラメータの調整の完了を待ってから光ディスク１０を再生する場合と比較して、光ディスク１０からデータを再生するまでの時間を短縮することができる。
【００９２】
よって、光ディスク再生装置１００では、先読みしたデータを格納するメモリ１３０の容量を最低限としつつ、光ディスク１０からのデータ再生開始までの時間を短縮することができる。
【００９３】
また、光ディスク再生装置１００では、光ディスク１０の規格に応じた調整時間を設定する。この場合、ＤＶＤとＢＤなどのような複数種類の光ディスクからデータを再生することができる光ディスク再生装置１００に対しても、読みしたデータを格納するメモリ１３０の容量を最低限としつつ、光ディスク１０からのデータ再生開始までの時間を短縮することができる。
【００９４】
（調整時間の設定方法の詳細）
次に、外周領域におけるチルト制御のための制御パラメータの調整に要する調整時間の設定方法の詳細について、図３を参照しつつ以下に説明する。図３は、調整時間の設定の際に参照する調整時間設定テーブルの一例を示す図である。
【００９５】
調整時間設定部１１１は、テーブル格納部１６０に格納されている調整時間設定テーブルを参照して、ディスク判別部１１２において判別された光ディスク１０の規格に応じて調整時間を設定する。
【００９６】
調整時間設定テーブルは、図３に示すように、搭載されている光ディスクの規格と、調整時間の値とが関連付けて記録されている。したがって、例えば、ディスク判別部１１２において搭載されている光ディスク１０が「ＢＤ−ＲＯＭ」（ＢＤであり、書き換え不可能）と判別された場合には、調整時間設定部１１１は、調整時間を「ＡＡ秒」と設定する。この場合、制御部１１０は、ＡＡ秒分の再生時間のデータを光ディスク１０から読み出すように、データ読出部１２０に対して指示を送ることになる。
【００９７】
同様に、調整時間設定部１１１は、光ディスク１０の種類がＤＶＤ、ＣＤである場合であっても同様に、調整時間を設定することができる。
【００９８】
図３に示す調整時間設定テーブルに登録されている、光ディスクの規格ごとの調整時間の値は予め定められた値である。より具体的には、調整時間の値は、光ディスク再生装置１００に備えられているものと同一の光学ドライブを用いたときに、外周領域におけるチルト制御のための制御パラメータの調整に要した時間に基づいて定められた値である。そのため、光ディスク再生装置備えられている光学ドライブの性能や、同一の性能であってもロットが異なるなどのような場合には、登録されている調整時間の値は異なる。
【００９９】
なお、調整時間設定テーブルは、図３に示すテーブルに限定されるものではなく、適宜変更することができる。例えば、光ディスク再生装置１００が再生可能な光ディスクがＢＤおよびＤＶＤである場合には、調整時間設定テーブルにおける光ディスクの種類からＣＤの欄を削除してもよい。
【０１００】
また、例えば、光ディスク再生装置１００が１種類の光ディスクのみに対応している場合には（例えば、ＢＤ−ＲＯＭ）、ディスク判別部１１２においてＢＤ−ＲＯＭであると判別された時点で、調整時間として所定の固定値を設定するようにすることもできる。この場合には、ディスク判別部１１２において光ディスクの規格を判別する必要がないため、調整時間の設定までに要する時間を大幅に短縮することができる。
【０１０１】
調整時間の設定に用いるパラメータは、上述した光ディスクの規格に限定されるものではない。光ディスクの規格以外にも、光ディスクに付与されているメディアＩＤを調整時間の設定に用いるパラメータとして用いてもよい。
【０１０２】
メディアＩＤを用いて調整時間を設定する場合、光ディスク再生装置１００における制御部１１０は、光ディスクそれぞれにおいて固有のメディアＩＤを識別するＩＤ識別部１１３を備えている。調整時間設定部１１１は、ＩＤ識別部１１３において識別されたメディアＩＤから、調整時間設定テーブルを参照して調整時間を設定する。
【０１０３】
この場合の調整時間設定テーブルは、光ディスクに対して付与されているメディアＩＤと調整時間の値とが関連付けられたテーブルである。なお、メディアＩＤは、光ディスク１枚１枚それぞれに対して固有の値であり、世界中の光ディスクにおいてメディアＩＤが一致することはない。したがって、このメディアＩＤを識別することにより、光ディスクを特定することができ、ひいては調整時間を特定することもできる。
【０１０４】
なお、ユーザーがどのような光ディスクを搭載するかは出荷段階ではわからないため、先に述べた図３に示すような調整時間設定テーブルと併用するようにしてもよい。すなわち、読み出したメディアＩＤが調整時間設定テーブルに登録されていない場合には、図３に示すような調整時間設定テーブルを用いて調整時間を設定するようにすればよい。
【０１０５】
また、読み出したメディアＩＤが調整時間設定テーブルに登録されていない場合には、後述するタイマー１５０を用いて外周領域におけるチルト制御のための制御パラメータの調整に要した時間を計測し、計測した時間を調整時間としてメディアＩＤに関連付けて調整時間設定テーブルに登録するようにしてもよい。
【０１０６】
（調整時間の値の変更）
上述したように、調整時間設定テーブルに登録されている調整時間の値は、予め測定された実測値に従った値である。そのため、光ディスク再生装置１００の経時的な変化（特に、光ヘッド部を含む光ピックアップの経時的な変化）または光ディスク再生装置１００を使用する環境などに起因して、テーブルに記録されている調整時間と、実際に要する時間とがずれることがある。
【０１０７】
このようなずれが生じた場合には、調整時間変更部１１４が調整時間設定テーブルに登録されている調整時間の値を変更することが好ましい。調整時間変更部１１４における調整時間の値の変更について、以下に説明する。
【０１０８】
調整時間設定部１１１において調整時間が設定され、外周領域におけるチルト制御のための制御パラメータの調整が開始されると、タイマー１５０がカウントを開始する。そして、外周領域におけるチルト制御のための制御パラメータの調整が終了するとタイマー１５０は、カウントを停止する。
【０１０９】
続いて、調整時間変更部１１４は、タイマー１５０のカウントした値と調整時間設定部１１１において設定された調整時間の値とを比較する。タイマー１５０のカウントした値と調整時間設定部１１において設定された調整時間の値とが異なる場合、調整時間変更部１１４は、調整時間の値をタイマー１５０のカウントした値に変更する。このとき、調整時間設定テーブルに光ディスクの規格が複数登録されている場合には、ディスク判別部１１２において判別した光ディスクの規格が一致する調整時間の値を変更するようにすればよい。
【０１１０】
また、調整時間の値の変更の判定に閾値を用いるようにしてもよい。すなわち、タイマー１５０のカウントした値（以下、所要時間とも称する）と、調整時間設定部１１１において設定された調整時間の値との差分値が所定の閾値を超えるときにのみ、調整時間変更部１１４は、調整時間の値を変更するようにしてもよい。
【０１１１】
これによって、タイマー１５０におけるカウントの誤差などに起因して調整時間が変更されてしまうことを防止することができる。また、所定の閾値を超える値のずれが生じたときにのみ調整時間の値を変更することにより、調整時間の値の変更回数が多くなることをさけつつ、光ピックアップの経時的な変化に追従するように値を変更していくことができる。
【０１１２】
さらに、差分値を算出する際に用いる所要時間の値は、タイマー１５０において計測された所要時間に基づいて算出される代表値としてもよい。例えば、所定回数分の所要時間の値の平均値を代表値とし、代表値と調整時間設定部１１１において設定された調整時間の値との差分値を算出するようにしてもよい。また、調整時間設定テーブルに登録されている調整時間の値をこの代表値に変更するようにしてもよい。
【０１１３】
これによって、搭載する光ディスク自体に起因する所要時間のずれを考慮することができる。例えば、光ディスクに傷があるなどして偶然所要時間が大きくなってしまった場合に、調整時間の値が変更されてしまうことを防止することができる。
【０１１４】
（付記事項）
本実施形態に係る光ディスク再生装置１００に用いることができるＢＤは、ＢＤ−Ｊ（Blu-ray Disc Java「Javaは登録商標」）を用いて作製されたＢＤであってもよい。搭載されたＢＤがＢＤ−Ｊを用いている場合には、ＢＤの再生開始前に読み込まれるメニュー画面またはポップアップ画面などの画像データを先読みして再生するようにすればよい。なお、メニュー画面などの画像データの再生には、デコード処理が必要となるため、画像データをデコードする間に、外周領域のチルトを制御するための制御パラメータの調整を行うようにすればよい。
【０１１５】
（プログラムおよび記録媒体）
最後に、光ディスク再生装置１００に含まれている制御部１１０および再生制御部１４０は、ハードウェアロジックによって構成すればよい。または、次のように、ＣＰＵ（Central Processing Unit）を用いてソフトウェアによって実現してもよい。
【０１１６】
すなわち、制御部１１０および再生制御部１４０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０１１７】
そして、本発明の目的は、制御部１１０および再生制御部１４０のプログラムメモリに固定的に担持されている場合に限らず、上記プログラムのプログラムコード（実行形式プログラム、中間コードプログラム、または、ソースプログラム）を記録した記録媒体を光ディスク再生装置１００に供給し、光ディスク再生装置１００が上記記録媒体に記録されている上記プログラムコードを読み出して実行することによっても、達成可能である。
【０１１８】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１１９】
また、制御部１１０および再生制御部１４０（または光ディスク再生装置１００）を通信ネットワークと接続可能に構成しても、本発明の目的を達成できる。この場合、上記のプログラムコードを、通信ネットワークを介して制御部１１０および再生制御部１４０に供給する。この通信ネットワークは制御部１１０および再生制御部１４０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０１２０】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２２】
本発明に係る光ディスク再生装置は、半径が１２ｃｍの光ディスク（例えば、ＢＤ、ＤＶＤまたはＣＤなど）を再生可能なプレイヤ装置などに好適に利用することができる。
【符号の説明】
【０１２３】
１０      光ディスク
１００      光ディスク再生装置
１１０      制御部（制御手段）
１１１      調整時間設定部（設定手段）
１１２      ディスク判別部（規格識別手段）
１１３      ＩＤ識別部（固有情報識別手段）
１１４      調整時間変更部（変更手段）
１２０      データ読出部（読出手段、調整手段）
１３０      メモリ
１４０      再生制御部（出力手段）
１５０      タイマー
１６０      テーブル格納部
２００      表示装置
【図１】
2010192066.tif 000003
【図２】
2010192066.tif 000004
【図３】
2010192066.tif 000005